(57)【要約】【課題】球流下口における遊技球の停留を抑制して，遊技球を滑らかに流下させることができるパチンコ遊技機を提供すること。【解決手段】パチンコ遊技機１は，遊技球６を収容する球タンク２と，球タンク２の下方に配設したタンクレール３とを有している。球タンク２の底部２１には，遊技球６をタンクレール３に流下させるための球流下口２２が形成されている。球流下口２２は，略円形状に形成してある。パチンコ遊技機１は，球流下口２２を流下する遊技球６の流下方向を分散させるよう構成してある。【選択図】  図１
2004275517.tif 000002
【特許請求の範囲】
【請求項１】
遊技球を収容する球タンクと，該球タンクの下方に配設したタンクレールとを有し，上記球タンクの底部には，上記遊技球を上記タンクレールに流下させるための球流下口を形成してなるパチンコ遊技機において，
上記球流下口は，略円形状又は略楕円形状に形成してあることを特徴とするパチンコ遊技機。
【請求項２】
請求項１において，上記略円形状の球流下口の直径又は上記略楕円形状の球流下口の短径は，上記遊技球の直径の３倍以上であることを特徴とするパチンコ遊技機。
【請求項３】
請求項１又は２において，上記タンクレールの底部における上記球流下口の直下部位には，略平坦状の球流下受面を形成し，該球流下受面よりも下流側の部位には，上記遊技球を排出口に導く複数列の球通路を形成するための仕切壁を形成したことを特徴とするパチンコ遊技機。
【請求項４】
請求項３において，上記タンクレールは，上記仕切壁の上部における上記各球通路の途中から下流側には，１個ずつ上記遊技球を通過させるよう上記各球通路の上下幅を絞る絞りガイドを有しており，
上記タンクレールの底部における上面から上記球タンクの底部における下面までの球通路高さは，上記球流下口の形成部位においては，上記遊技球の直径の２倍以上３倍未満にし，上記絞りガイドの上流側端部の部位においては，上記遊技球の直径の３倍以上４倍未満にしたことを特徴とするパチンコ遊技機。
【請求項５】
請求項３又は４において，上記仕切壁は３列に形成されていると共に，上記球通路は４列に形成されており，
上記タンクレールにおける上記排出口は，１つの開口穴を幅方向及び前後方向にそれぞれ略等間隔に仕切ることによって，４つに形成されており，
上記４つの排出口のうちの上流側に位置する２つの上流側排出口には，上記４列の球通路のうちの内側２つの内側球通路がそれぞれ連通しており，残りの２つの下流側排出口には，上記４列の球通路のうちの外側２つの外側球通路が，上記上流側排出口の幅方向外側から回り込んでそれぞれ連通していることを特徴とするパチンコ遊技機。
【発明の詳細な説明】
【０００１】
【技術分野】
本発明は，パチンコ遊技機に関し，特に球タンクから流下した遊技球をタンクレールから整流して排出させる構造に関する。
【０００２】
【従来技術】
パチンコ遊技機においては，球タンクに貯留した多数の遊技球を球払出装置へと導き，この球払出装置から貸球用又は賞球用の遊技球として払い出している。また，上記球タンクの下方には，この球タンクの底部に設けた球流下口から流下する遊技球を，上記球払出装置に整流して供給するためのタンクレールが配設されている。そして，このタンクレールの底部に形成した仕切壁により複数の球通路を形成し，上記遊技球を各球通路を通過させて上記球払出装置に供給している。
【０００３】
また，上記球タンクにおける球流下口は，上記タンクレールに流下する遊技球の流下方向を上記仕切壁の形成方向に向けるために，四角形状に形成している。
さらに，特許文献１においては，多数の遊技球の自重により加わる球圧を抑制し，多数の遊技球が滑らかに流下できるように，上記球タンクには上記四角形状の球流下口を区画する区画壁を設けている。
【０００４】
【特許文献１】
特開２００２−２８３２３号公報
【０００５】
【解決しようとする課題】
しかしながら，上記従来の球タンクの球流下口を流下する遊技球は，あくまでも上記四角形状の周縁部に沿って流下する。そのため，特に四角形状の角部においては遊技球が流下することができず，遊技球が停留してしまうおそれがある。そのため，上記遊技球の停留を抑制するためには，一層の工夫が必要である。
【０００６】
本発明は，かかる従来の問題点に鑑みてなされたもので，球流下口における遊技球の停留を抑制して，遊技球を滑らかに流下させることができるパチンコ遊技機を提供しようとするものである。
【０００７】
【課題の解決手段】
本発明は，遊技球を収容する球タンクと，該球タンクの下方に配設したタンクレールとを有し，上記球タンクの底部には，上記遊技球を上記タンクレールに流下させるための球流下口を形成してなるパチンコ遊技機において，
上記球流下口は，略円形状又は略楕円形状に形成してあることを特徴とするパチンコ遊技機にある（請求項１）。
【０００８】
本発明のパチンコ遊技機は，上記球タンクの球流下口から特定の方向に遊技球を流下させるのではなく，上記略円形状又は略楕円形状に形成した球流下口により，意図的に遊技球の流下方向を分散させるものである。
すなわち，上記タンクレールは，通常上記球タンクから多数の遊技球が流下して，この多数の遊技球が充填された状態にある。そして，各遊技球は，その上流側の遊技球の自重による球圧を受けながら流下する。
【０００９】
そして，上記タンクレールの下流側に設けた球払出装置から遊技球が払い出されて，タンクレールから上記球払出装置に遊技球が供給されると，このタンクレール内に空間が生じ，この空間に向けて上記球タンクから上記球流下口を介して遊技球が流下する。このとき，上記略円形状又は略楕円形状に形成した球流下口により，上記遊技球は上記空間を埋めるようにいずれの方向に向けても流下することができる。
【００１０】
また，この球流下口には角部がないため，球流下口の周縁部に沿って遊技球が流下したときでも，従来の四角形状に球流下口を形成した場合に比べて，遊技球の停留現象の発生を抑制することができる。
そのため，本発明においては，上記球流下口における遊技球の停留を抑制して，この遊技球を滑らかに流下させることができる。
【００１１】
【発明の実施の形態】
上述した本発明における好ましい実施の形態につき説明する。
本発明において，上記略円形状の球流下口の直径又は上記略楕円形状の球流下口の短径は，上記遊技球の直径の３倍以上であることが好ましい（請求項２）。
この場合には，上記球流下口において，たとえこの球流下口の両側の周縁部に遊技球が停留したとしても，この各遊技球の間に少なくとも他の遊技球が１個は通過できるだけの隙間が形成されるため，上記遊技球の停留の発生を一層容易に抑制することができる。一方，上記球流下口の直径又は短径が上記遊技球の直径の３倍未満である場合には，球流下口が小さくて上記遊技球の停留が発生するおそれがある。
【００１２】
また，上記球流下口の直径又は短径は，上記遊技球の直径の４倍未満であることが好ましい。この場合には，上記球流下口が大きくなって，上記球タンク内の遊技球から上記球流下口を介して上記タンクレール内の遊技球に加わる球圧の増加を抑制することができる。そのため，上記球流下口から一層滑らかに上記遊技球を流下させることができる。
【００１３】
また，上記タンクレールの底部における上記球流下口の直下部位には，略平坦状の球流下受面を形成し，該球流下受面よりも下流側の部位には，上記遊技球を排出口に導く複数列の球通路を形成するための仕切壁を形成することが好ましい（請求項３）。
この場合には，上記球タンクの球流下口から特定の方向性を有さずに流下させた遊技球を，上記球流下受面において，特定の方向性を有さずに移動させることができる。そのため，一層効果的に上記球流下口における遊技球の停留が発生することを抑制することができ，この遊技球を一層滑らかに流下させることができる。
【００１４】
また，上記タンクレールは，上記仕切壁の上部における上記各球通路の途中から下流側には，１個ずつ上記遊技球を通過させるよう上記各球通路の上下幅を絞る絞りガイドを有しており，上記タンクレールの底部における上面から上記球タンクの底部における下面までの球通路高さは，上記球流下口の形成部位においては，上記遊技球の直径の２倍以上３倍未満にし，上記絞りガイドの上流側端部の部位においては，上記遊技球の直径の３倍以上４倍未満にすることが好ましい（請求項４）。
【００１５】
この場合には，上記球タンクの球流下口から上記タンクレール内に流下した遊技球は，上記絞りガイドによって高さ方向に絞られながら１個ずつ排出口に排出される。これにより，上記タンクレール内における遊技球の流れを滑らかにすることができる。
また，上記球通路高さを，上記球流下口の形成部位においては遊技球の直径の２倍以上３倍未満に小さくし，かつ上記絞りガイドの上流側端部の部位においては遊技球の直径の３倍以上４倍未満に小さくすることにより，上記タンクレールの底部の下方におけるスペースを広くすることができる。そのため，このスペースに，上記パチンコ遊技機における各種の部品を配置することができる。
【００１６】
なお，従来のタンクレールにおいては，上記各球通路高さを遊技球の直径の３倍〜４倍の高さに形成し，各球通路には，３段以上に積み重なった状態の遊技球を２段積みの状態にするための球均し部材を設けていた。これに対し，上記球通路高さに変化をつけた上記構成により，上記球均し部材を用いることなく，タンクレール内における遊技球の流れを滑らかにすることができる。
【００１７】
また，上記仕切壁は３列に形成されていると共に，上記球通路は４列に形成されており，上記タンクレールにおける上記排出口は，１つの開口穴を幅方向及び前後方向にそれぞれ略等間隔に仕切ることによって，４つに形成されており，上記４つの排出口のうちの上流側に位置する２つの上流側排出口には，上記４列の球通路のうちの内側２つの内側球通路がそれぞれ連通しており，残りの２つの下流側排出口には，上記４列の球通路のうちの外側２つの外側球通路が，上記上流側排出口の幅方向外側から回り込んでそれぞれ連通していることが好ましい（請求項５）。
この場合には，上記４列の球通路がそれぞれ連通する各排出口を１箇所に収束させることができ，この各排出口を球払出装置に接続することが容易である。
【００１８】
【実施例】
以下に，図面を用いて本発明のパチンコ遊技機に係る実施例につき説明する。
本例のパチンコ遊技機１は，図１，図２に示すごとく，遊技球６を収容する球タンク２と，この球タンク２の下方に配設したタンクレール３とを有している。また，球タンク２の底部２１には，遊技球６を上記タンクレール３に流下させるための球流下口２２が形成されている。
また，図４に示すごとく，上記球流下口２２は，略円形状に形成してある。そして，上記パチンコ遊技機１は，この球流下口２２を流下する遊技球６の流下方向を分散させるよう構成してある。
【００１９】
以下に，これを詳説する。
本例において，下流側とは，上記球タンク２又はタンクレール３内における遊技球６が流下する側のことをいい，上流側とはこれとは反対側のことをいう。
また，前後方向（長手方向）Ｌとは，遊技球６が流下する前後の方向をいい，パチンコ遊技機１における左右方向のことをいう。また，幅方向Ｗとは，前後方向Ｌに直交する方向をいい，パチンコ遊技機１における奥行き方向をいう。
【００２０】
図１〜図４に示すごとく，本例のパチンコ遊技機１は，上記球タンク２及びタンクレール３に工夫をして，これらにおける遊技球６の流下を円滑にするものである。すなわち，本例のパチンコ遊技機１は，上記球タンク２の球流下口２２から特定の方向に遊技球６を流下させるのではなく，上記球タンク２における略円形状に形成した球流下口２２により，意図的に遊技球６の流下方向を分散させるものである。
【００２１】
また，図１〜図３に示すごとく，本例のパチンコ遊技機１は，上記タンクレール３の底部３１１における上記球流下口２２の直下部位に，略平坦状の球流下受面３２を有している。そして，上記遊技球６を排出口３６に導く複数列の球通路３４を形成するための仕切壁３３は，上記球流下受面３２よりも下流側の部位に形成されている。そして，本例のパチンコ遊技機１は，上記球タンク２における球流下口２２から上記タンクレール３における略平坦状の球流下受面３２に向けて上記遊技球６を流下させることにより，遊技球６の流下を一層滑らかにすることができる。
【００２２】
図１，図２に示すごとく，上記略円形状の球流下口２２の直径Ｄ１は，タンクレール３内の遊技球６に加わる球圧の増加を抑制して，この球流下口２２において遊技球６の停留が発生することを抑制するために，遊技球６の直径（球径）の３倍以上４倍未満の大きさに形成してある。
【００２３】
また，図２に示すごとく，球流下口２２の直径Ｄ１は，上記タンクレール３における前後方向Ｌの側壁である長尺側壁３１２の内面同士の間の距離Ｗ１よりも小さくなっている。また，図３に示すごとく，上記球流下受面３２は，上記球流下口２２の穴面積よりも広い面積に形成されており，上記タンクレール３の底部３１１における球流下口２２の直下部位の全方向の周辺（前後左右の周辺）にも形成されている。これにより，上記球流下口２２から流下した遊技球６は，上記球流下受面３２において，いずれの方向にも移動することができる。
【００２４】
図１，図３，図４に示すごとく，上記球タンク２及びタンクレール３は，パチンコ遊技機１における左右方向に向けて長尺状に形成されており，上記球流下口２２は，球タンク２における底部２１の右側端部の近傍に形成されている。そして，球タンク２の底部２１は，球流下口２２の左側に位置する大半の部分は，右下がりの傾斜状に形成されており，球流下口２２の右側に位置する残りの部分は，左下がりの傾斜状に形成されている。
【００２５】
また，上記タンクレール３の底部３１１は，左下がりの傾斜状に形成されている。そして，球タンク２内における遊技球６のほとんどは，右方向に向けて流下し，上記球流下口２２からタンクレール３に向けて流下した後には，このタンクレール３の底部３１１を左方向に向けて流下する。
なお，図６，図７に示すごとく，本例の球タンク２及びタンクレール３は，パチンコ遊技機１における本体枠（前枠）５２の裏面側に設けた機構板５３に取り付けてある。そして，本例でいう右方向とは，パチンコ遊技機１の裏面側から見たときの右側の方向をいう。
【００２６】
図３に示すごとく，本例においては，上記タンクレール３の底部３１１における仕切壁３３は，３つ形成されている。そして，上記球通路３４は，仕切壁３３同士の間に形成された内側２つの内側球通路３４Ａと，この内側球通路３４Ａの外側（幅方向Ｗの外側）において仕切壁３３と上記長尺側壁３１２との間に形成された外側２つの外側球通路３４Ｂとの４列に形成されている。
【００２７】
また，図１に示すごとく，上記仕切壁３３は，その形成高さＨ１が上記底部３１１における球流下口２２の直下部位の近傍から上記絞りガイド３５の上流側端部３５１に向けて徐々に高くなるよう形成されており，絞りガイド３５の上流側端部３５１から下流側に向けては，徐々に低くなるよう形成されている。
【００２８】
また，図１に示すごとく，上記タンクレール３は，上記仕切壁３３の上部における上記各球通路３４の途中から下流側には，１個ずつ上記遊技球６を通過させるよう上記各球通路３４の上下幅を絞る絞りガイド３５を有している。
この絞りガイド３５の形成により，上記球通路３４は，絞りガイド３５の形成部位には上下幅が規制された絞り球通路３４２を形成しており，これよりも上流側には，上下幅の規制がなく上記仕切壁３３による緩規制球通路３４１を形成している。
【００２９】
また，図１に示すごとく，上記絞りガイド３５の上流側端部３５１には，上記絞り球通路３４２へ流下しない遊技球６の流下を止める球流下阻止部３５２が形成されている。この球流下阻止部３５２は，絞りガイド３５の上流側端部３５１を上方に向けて屈曲させて形成されている。
また，上記絞りガイド３５は，上記仕切壁３３に固定されておらず，仕切壁３３の上部に載置されている。そして，絞りガイド３５は，遊技球６の流下による球圧を受けて上方に弾性変形が可能である。
【００３０】
また，図１に示すごとく，上記球流下口２２の形成部位における球通路３４の高さＨ２は，上記遊技球６の直径の２倍以上３倍未満に形成されている。また，上記絞りガイド３５の上流側端部３５１の部位における球通路３４の高さＨ３は，上記遊技球６の直径の３倍以上４倍未満に形成されている。また，上記絞り球通路３４２の入口の球通路３４の高さＨ４は，遊技球６の直径の略２倍になっている。なお，上記高さＨ２，Ｈ３は，いずれも上記タンクレール３の底部３１１における上面から上記球タンク２の底部２１における下面までの高さで表す。また，上記高さＨ４は，上記タンクレール３の底部３１１における上面から上記絞りガイド３５の上流側端部３５１における下面までの高さで表す。
【００３１】
また，上記球流下口２２の形成部位における球通路３４の高さＨ２を上記遊技球６の直径の２倍以上３倍未満に小さく形成できたのは，上記球流下口２２の直下部位に上記略平坦状の球流下受面２２を形成したことが関係している。すなわち，球流下受面２２を形成して，球流下口２２の直下部位に仕切壁３３を形成していないことにより，上記タンクレール３の上記直下部位の周辺における上下幅を小さくすることができる。これにより，上記パチンコ遊技機１における部品等の配置スペースを広くすることができる。
【００３２】
図３に示すごとく，上記タンクレール３における排出口３６は，１つの開口穴を幅方向Ｗ及び前後方向Ｌにそれぞれ略等間隔に仕切ることによって，４つに形成されている。そして，上記４つの排出口３６のうちの上流側に位置する２つの上流側排出口３６Ａには，上記２つの内側球通路３４Ａがそれぞれ連通している。また，下流側に位置する残りの２つの下流側排出口３６Ｂには，上記２つの外側球通路３４Ｂが，上記上流側排出口３６Ａの幅方向外側から回り込んでそれぞれ連通している。このような各排出口３６の配置により，これら各排出口３６を１箇所に収束させることができる。
【００３３】
そして，図１に示すごとく，上記タンクレール３内における遊技球６は，通常は上記底部３１１における球流下口２２の直下部位の近傍から上記絞り球通路３４２までは２段積みの状態で流下する。その後，遊技球６は，絞り球通路３４２内においては１個ずつの流れに絞られ，上記各排出口３６から１個ずつ排出される。
【００３４】
また，上記絞りガイド３５の上流側端部３５１の部位の近傍においては，遊技球６が３段積みの状態になることもできる空間３５３が形成されている。
すなわち，上記タンクレール３内において，たとえ上流側からの球圧等によって遊技球６の流れが３段積みの状態になったとしても，この３段積みの状態の最上段に位置する遊技球６は，上記空間３５３に逃げ込むことができ，上記球流下阻止部３５２によってその流下が阻止される。
【００３５】
そのため，上記最上段の遊技球６による球圧を上方に逃がすことができ，３段積みの状態における下２段の遊技球６を上記絞り球通路３４２内に滑らかに流下させることができる。そのため，タンクレール３内における遊技球６の流れを一層滑らかにすることができる。
【００３６】
また，図５に示すごとく，上記タンクレール３の排出口３６から排出された遊技球６は，遊技球６の払出数を調節して払い出すための球払出装置４に供給される。そして，球払出装置４によって払い出された遊技球６は，球流下通路４３を通過して球皿４４へと流下し，遊技に使用することができ，球抜き通路４５から取り出すこともできる。
【００３７】
図１，図３に示すごとく，上記タンクレール３における各球通路３４内の底部３１１の部分には，各球通路３４の形成方向に沿って形成した長穴によるスリット３７が設けてある。このスリット３７には，棒状物等を差し込むことができ，これにより球通路３４内の遊技球６を掻き出したり，タンクレール３内に溜まったゴミ等を除去することが可能である。
【００３８】
また，図１に示すごとく，上記各球通路３４には，遊技球６の流下を停止させるための球止ストッパー３８がそれぞれ設けてあり，各球止ストッパー３８を各球通路３４内に挿入配置させることにより，遊技球６の流下を止めることができる。
【００３９】
また，図６に示すごとく，各球止ストッパー３８は，各球通路３４に対して，幅方向Ｗにおいて中心部から横にずれた位置に設けてある。これにより，各球通路３４内において，各遊技球６が連なって流下する際に，この遊技球６同士の間の隙間に球止ストッパー３８を挿入することができ，この挿入が容易である。また，上記横にずれた位置に設けた球止ストッパー３８により，遊技球６が真正面から球止ストッパー３８に衝突することを避けることができる。そのため，例えば，球止ストッパー３８が球通路３４の外に弾き出されてしまうことを防止することができる。
また，各球止ストッパー３８は，連結部材３８１を介して一体形成されており，球タンク２とタンクレール３との間のスペースを利用して配設されている。
【００４０】
また，図１，図５に示すごとく，上記球タンク２の前後方向Ｌの寸法は，上記タンクレール３の前後方向Ｌの寸法よりも長く形成されており，球タンク２の底部２１における上記球流下口２２よりも右側部分の下方には，部品等の配置スペースとしての第１空間１０１が形成されている。そのため，この第１空間１０１には，例えばパチンコ遊技機１における各種電装部品や中継基板を配置することができる。
【００４１】
また，上記タンクレール３の底部３１１の下方にも，上記球通路３４の高さＨ２又はＨ３を，遊技球６の直径の２倍以上３倍未満又は３倍以上４倍未満に小さくしたことにより，部品等の配置スペースとしての第２空間１０２を形成している。そのため，この第２空間１０２に，上記各種電装部品や中継基板を配置することもできる。なお，上記各種電装部品や中継基板は，球タンク２又はタンクレール３に直接取り付けて配置することができる。
【００４２】
図４に示すごとく，本例の球タンク２とタンクレール３とは，ビス等の固定具を使用せずに一体化されている。
すなわち，図４，図６に示すごとく，球タンク２とタンクレール３とは，載置片３９２を載置受部２５２に載置し，それぞれいずれかに設けた弾性変形可能な掛止爪３９１と掛止穴２５１とを係合させることにより，一体化されている。
【００４３】
本例では，タンクレール３における長尺側壁３１２の一方側に掛止爪３９１が形成されており，長尺側壁３１２の他方側に載置片３９２が形成されている。また，球タンク２には，上記掛止爪３９１によって掛止される掛止穴２５１と，上記載置片３９２を載置可能な載置受部２５２が形成されている。
なお，本例では，上記掛止爪３９１，掛止穴２５１及び載置受部２５２はそれぞれ２箇所に形成した（図３，図８，図９参照）。
そして，タンクレール３は，その載置片３９２を球タンク２の載置受部２５２に載置し，次いで，その掛止爪３９１を弾性変形させて球タンク２の掛止穴２５１に掛止することにより，球タンク２と一体化されている。
【００４４】
また，図６，図７に示すごとく，本例のパチンコ遊技機１は，外枠５１の前面に本体枠（前枠）５２を回動可能に配設し，本体枠５２の裏面側に機構板５３を配設して構成したものである。そして，本例の球タンク２及びタンクレール３は，上記機構板５３の裏面側に取り付けるものである。
また，上記タンクレール３を一体化した球タンク２は，その長尺側壁３１２を機構板５３に対面させて取り付けられている。そして，上記球タンク２は，上記機構板５３に対して，ビス等の固定具を使用せずに取り付けられている。
【００４５】
すなわち，球タンク２は，機構板５３に対して，長手方向（前後方向）Ｌの所定の位置においては，図６，図７に示すごとく，機構板５３の下端に設けた下端挿入凹部５３３に球タンク２の下端部２６３を挿入し，他の所定の位置においては，球タンク２の上端に設けた上端挿入凹部２６２に機構板５３の上端部５３１を挿入し，球タンク２の上端部２６１が機構板５３の長手方向Ｌの所定の位置に設けた掛止爪５３２により掛止されて取り付けられている。
なお，図９に示すごとく，本例では，上記上端挿入凹部２６２，掛止爪５３２及び下端挿入凹部５３３はそれぞれ２箇所に形成し，上記掛止爪５３２に掛止される球タンク２の上端部２６１の部分は切欠き状に形成した。
【００４６】
また，図１０に示すごとく，本例においては，上記タンクレール３の排出口３６と，上記球払出装置４における遊技球６の供給口４１とは，内部に球流下通路４２１を形成したケースレール４２により接続されている。
そして，このケースレール４２の球払出装置４への取付及び機構板５３への取付は，ビス等の固定具を使用せずに行われている。
【００４７】
すなわち，ケースレール４２は，図１０に示すごとく，その下端部を球払出装置４の供給口４１の上端部に嵌入してこれに接続され，図１１に示すごとく，一対に形成した挿入片４２２を機構板５３における一対の挿入凹部５３４に挿入し，図１０に示すごとく，機構板５３に対面する位置に設けた突出端部４２３が機構板５３に設けた掛止爪５３５に掛止されて，機構板５３に取り付けられている。また，ケースレール４２は，図１０に示すごとく，その上端部とタンクレール３の排出口３６の下端部とを嵌合させてこれに接続されている。
【００４８】
図１に示すごとく，上記パチンコ遊技機１を使用する際には，上記球タンク２には，所定の数の遊技球６が貯留されており，上記タンクレール３は，上記球タンク２から多数の遊技球６が流下して，この多数の遊技球６が充填された状態にある。なお，図１においては，多数の遊技球６の図示は省略している。
そして，上記球皿４４へ遊技球６の払出を行うに当たっては，上記球払出装置４を作動させる。このとき，タンクレール３の各排出口３６から球払出装置４に順次遊技球６が供給されることにより，タンクレール３内の各遊技球６は，その上流側の遊技球６の自重による球圧を受けながら流下する。
【００４９】
そして，上記球払出装置４から遊技球６が払い出されて，タンクレール３から球払出装置４に遊技球６が供給されると，このタンクレール３内に空間が生じ，この空間に向けて上記球タンク２から上記球流下口２２を介して遊技球６が流下する。このとき，上記略円形状に形成した球流下口２２により，上記遊技球６は上記空間を埋めるようにいずれの方向に向けても流下することができる。
また，上記球流下口２２には角部がないため，球流下口２２の周縁部に沿って遊技球６が流下したときでも，従来の四角形状に球流下口を形成した場合に比べて，遊技球６の停留現象の発生を抑制することができる。
【００５０】
また，上記球流下口２２を介して遊技球６が流下するとき，上記タンクレール３の底部３１１における球流下口２２の直下部位及びその周辺には，上記仕切壁３３がなく上記球流下受面３２が形成されているため，上記タンクレール３内に流下した遊技球６は上記空間を埋めるようにいずれの方向へも位置ずれを起こして移動することができる。
そのため，本例のパチンコ遊技機１においては，上記球タンク２及びタンクレール３おける遊技球６の停留を抑制して，これらにおける遊技球６の流下を円滑にすることができる。
【００５１】
なお，本例のタンクレール３の上記幅方向Ｗの幅は，上記球流下受面３２の形成部位と，上記仕切壁３３の形成部位とをほぼ同じとした。一方で，タンクレール３の幅方向Ｗの幅は，球流下受面３２の形成部位を，仕切壁３３の形成部位よりも大きく形成すると共に，徐々に仕切壁３３の形成部位と同じになるよう絞り込んで形成することもできる。
【図面の簡単な説明】
【図１】実施例における，球タンク及びタンクレールの前後方向における断面を示す断面説明図。
【図２】実施例における，球タンク及びタンクレールの幅方向における断面を示す図で，図１におけるＡ−Ａ線矢視断面説明図。
【図３】実施例における，タンクレールの上下方向における断面を示す図で，図１におけるＢ−Ｂ線矢視断面説明図。
【図４】実施例における，球タンクを上方から見た状態で示す平面図。
【図５】実施例における，パチンコ遊技機を裏面側から見た状態で示す説明図。
【図６】実施例における，パチンコ遊技機に取り付けた球タンク及びタンクレールの幅方向における断面を示す図で，図１におけるＣ−Ｃ線矢視断面説明図。
【図７】実施例における，パチンコ遊技機に取り付けた球タンク及びタンクレールの幅方向における断面を示す図で，図１におけるＤ−Ｄ線矢視相当の断面説明図。
【図８】実施例における，球タンク及びタンクレールを側方から見た状態で示す側面図。
【図９】実施例における，機構板に球タンクを取り付ける状態を示す説明図。
【図１０】実施例における，タンクレールと球払出装置とをケースレールを介して接続し，ケースレールを機構板に取り付けた状態を示す図で，図５におけるＥ−Ｅ線矢視断面説明図。
【図１１】実施例における，ケースレールを機構板に取り付けた状態を示す図で，図１０におけるＦ−Ｆ線矢視断面説明図。
【符号の説明】
１．．．パチンコ遊技機，
２．．．球タンク，
２１．．．底部，
２２．．．球流下口，
３．．．タンクレール，
３１１．．．底部，
３２．．．球流下受面，
３３．．．仕切壁，
３４Ａ．．．内側球通路，
３４Ｂ．．．外側球通路，
３５．．．絞りガイド，
３５１．．．上流側端部，
３６Ａ．．．上流側排出口，
３６Ｂ．．．下流側排出口，
４．．．球払出装置，
５１．．．外枠，
５２．．．本体枠（前枠），
５３．．．機構板，
６．．．遊技球，
Ｗ．．．幅方向，
Ｌ．．．前後方向，
【図１】
2004275517.tif 000003
【図２】
2004275517.tif 000004
【図３】
2004275517.tif 000005
【図４】
2004275517.tif 000006
【図５】
2004275517.tif 000007
【図６】
2004275517.tif 000008
【図７】
2004275517.tif 000009
【図８】
2004275517.tif 000010
【図９】
2004275517.tif 000011
【図１０】
2004275517.tif 000012
【図１１】
2004275517.tif 000013